(57)【要約】【課題】ズボンの着用者（作業者）がしゃがんだ姿勢や立膝の姿勢等をとったときに、作業者の腹部の圧迫を低減しさらに腰痛を低減する。【解決手段】着用者の腰部に対応する部位で、上端縁がベルト布２０７に接合され、下端縁が後身頃１２に接合された伸縮性生地２０１と、横方向に伸びた折り目２１３のところで折り返されて襞状に形成され、伸縮性生地２０１に重なるようにして、上端縁がベルト布２０７に接合され、下端縁が後身頃１２に接合された覆い布２０３とを有するズボン１０である。【選択図】図４
2014132131.tif 000002
【特許請求の範囲】
【請求項１】
着用者の腰部に対応する部位で、上端縁がベルト布に接合され、下端縁が後身頃に接合された伸縮性生地と、
横方向に伸びた折り目のところで折り返されて襞状に形成され、前記伸縮性生地に重なるようにして、上端縁が前記ベルト布に接合され、下端縁が前記後身頃に接合された覆い布と、
を有することを特徴とするズボン。
【請求項２】
請求項１に記載のズボンにおいて、
前記覆い布に複数の折り目が形成されていることで、前記覆い布が複数段の襞状になっていることを特徴とするズボン。
【請求項３】
請求項１に記載のズボンにおいて、
前記覆い布には少なくとも４本の折り目が形成されており、
前記各折り目のうちで上から偶数本目の折り目のところもしくは上から偶数本目の折り目の近傍で、前記覆い布が前記伸縮性生地に接合されている覆い布・伸縮性生地接合部位が形成されており、
前記ズボンの着用者がしゃがんだ姿勢をとったときにおける前記着用者の皮膚の伸びに対応して、前記各覆い布・伸縮性生地接合部位と、ベルト布に接合されている伸縮性生地や覆い布の上端縁の部位と、後身頃に接合されている伸縮性生地や覆い布の下端縁の部位とのうちで、お互いが隣接している部位間の距離が、上下方向でお互いに異なっていることを特徴とするズボン。
【請求項４】
請求項１〜請求項３のいずれか１項に記載のズボンにおいて、
左右それぞれの前身頃の股内側側縁と前記後身頃の股内側側縁とを接合すると共に、前身頃の股外側側縁と前記後身頃の股外側側縁とを接合することにより構成されており、
前記前身頃の股内側側縁と前記後身頃の股内側側縁の位置を、少なくとも開脚時に伸縮しにくい位置までそれぞれ前側と後側にずらして設定し、それらずらした位置にある前記前身頃の股内側側縁と前記後身頃の股内側側縁の間のスペースに襠部を介在させ、この襠部の前後方向における中央部の丈方向寸法を、位置をずらす前の前記前身頃の股内側側縁と前記後身頃の股内側側縁の丈方向寸法よりも長く設定した上で、前記襠部の前側側縁と前記前身頃の股内側側縁とを縫い合わせると共に、前記襠部の後側側縁と前記後身頃の股内側側縁とを縫い合わせたことを特徴とするズボン。
【請求項５】
請求項１〜請求項４のいずれか1項に記載のズボンにおいて、
ベルト部の長手方向の一部が伸縮自在に構成されていることを特徴とするズボン。
【発明の詳細な説明】
【技術分野】
【０００１】
本発明は、一部が伸縮性生地で構成されているズボンに関する。
【背景技術】
【０００２】
従来、会社における事務作業等の軽作業（たとえば、デスクワークを専らとする作業、スーパーマーケットの店員の作業、家電量販店員の作業、ウェイターの作業、調理師の作業、パチンコ店のホールスタッフの作業、清掃業者の作業等）では、従業員等は、ズボン（スラックス、トラウザーズ、パンツ）を履いて作業をしている。
【０００３】
軽作業における主な動作として、椅子に座った状態を維持したままでの筆記、しゃがんだ姿勢を維持したままでの清掃や商品の陳列作業、立った状態を維持したままでの調理や商品の説明等を掲げることができる。
【０００４】
従業員等の作業環境を一層良い方向に改善するために、従来のズボンの着用者にアンケートをとった結果を図２４に示す。
【０００５】
企業側は、ズボンに対して、企業ＰＲに貢献すること、上品であること、集団美を持つこと、親しみやすいこと、動き易いこと等をもとめている。また、着用者側（従業員側）は、動き易いこと、上品であること、ファッショナブルであること、明るいイメージを持つこと等をもとめている。
【０００６】
上記アンケート結果からすると、ズボンには、企業ＰＲに貢献することを除けば、動き易さ（快適性）や、上品であること、集団美を持つこと等見た目の美しさが求められていることがわかる。さらに、アンケートには現れていないが、安全性は当然のこととして、さらに、疲れにくさ（快適性；たとえば、着用者がしゃがんだときに背中が出ないとか腹部が圧迫されずに腰痛が発生しないこと）も求められるであろう。
【０００７】
一方、重作業（たとえば、機械の組立や修理等の体を大きく変形させる作業、レーシングドライバー、自動車等の整備士の作業、消防士、レスキュー隊員、精密機械製造業者の作業、ゴミ処理業者、インフルエンザの免疫官、農業に従事する人の作業、酪農業）のときに着用するものとして、腰部に伸縮性の素材を使用し、着用者が動き易いようにしているツナギが知られている（たとえば、特許文献１、特許文献２参照）。
【０００８】
なお、重作業における主な動作として、座った状態を維持したままでの運転、歩行や立位や座位を繰り返し行う整備や製造や運搬、走行を繰り返す被災現場での救助作業等を掲げることができる。
【０００９】
そして、ツナギには、激しい運動に対する動き易さ（快適性）、汚れや埃や怪我や炎や細菌等から身体を保護すること（安全性）が求められる。
【先行技術文献】
【特許文献】
【００１０】
【特許文献１】実公昭５３−３３２号公報
【特許文献２】実用新案登録第３１３５５７０号公報
【発明の概要】
【発明が解決しようとする課題】
【００１１】
ところで、従来のズボンを履いて事務作業等の軽作業をしているときに、直立姿勢から座位への移行動作、座位から振り向き動作などによって衣服圧が増大し、動き難く、作業者（着用者）が不快感を感じてしまうことがある。
【００１２】
そこで、軽作業をするときに衣服圧を減少させてズボンの着用者が動きやすくするために、ズボンの全体を伸縮性の素材（ストレッチ素材）で構成することが考えられる。
【００１３】
しかし、ズボン全体をストレッチ素材で構成すると、ピリング（毛玉）やスナッキングが発生し、膝抜け（膝の部分の膨れ上がり）が発生し見栄えが悪くなってしまう。また、ズボン全体をストレッチ素材で構成することで、着用者の動き易さは確保することができるものの、現在の社会通念では、上品さ、ファッショナブル性、企業ＰＲへの貢献度、親しみ易さ、集団美を満足しているとは言い難い。そのせいか、全体をストレッチ素材で構成した軽作業用のズボンは、ほとんど実用化されていない。
【００１４】
上記各特許文献に記載の従来のツナギは、腰部にストレッチ素材が用いられているので、着用者が腰を前かがみにする姿勢をとりやすくなっている。
【００１５】
また、上記各特許文献に記載の従来のツナギやその他の従来のツナギは、体を大きく屈曲させたりして姿勢を大きく頻繁に変える作業（重作業；自動車や修理や機械の組立等で上半身等を車体の下方や機械の中に突っ込む作業）で着用するので、ずん胴状に形成されており、着用者の体に対し、ズボンに比べてダブダブになっている。
【００１６】
上衣部と下衣部とがつながっているツナギを着て重作業することで、体を突っ込んだ作業においても、上衣部と下衣部との間から、細かい粉塵や切屑がツナギの中に入ることが防止され、ツナギが機械に巻き込まれることが防止され、また、溶接作業等においては、スパッタがツナギ内（特に上衣部と下衣部との境界）から入り込むことがなくなる。
【００１７】
しかしながら、上記特許文献に記載されているツナギを着て、事務作業等の軽作業をすると、前かがみの姿勢はとり易いが、上衣部と下衣部とがつながって連続しているので、直立姿勢や座位等の上半身が起立している姿勢では、ツナギの荷重のほぼ全てが着用者の肩にかかってしまう。そして、文字を書き難くなったり、パーソナルコンピュータのキーボードやマウスの操作をし難くなる等の不都合が生じるとともに、肩こりが発生する場合がある。
【００１８】
また、座位では、ツナギの着用者の尻部のところで、ツナギが着用者と椅子とに挟まれてしまい、全体がダブダブでしかも腰部にストレッチ素材が用いられているにもかかわらず、腰を旋回等する動作がし難くなる等、体を動かしにくくなってしまう。
【００１９】
なお、重作業では、頻繁に、体の姿勢を変化させ、腕を上下運動させ、仰向けになったり、腹ばいになったりするので、ツナギを着ていても、荷重が分散され肩のみにかかってしまうことが回避される。また、文字書き等の軽微な視神経に大きな負担のかかることは少ない。
【００２０】
一方、ツナギを着用していると、大便の排泄も面倒になるとともに、現在の社会通念では、上品さ、ファッショナブル性、企業ＰＲへの貢献度、親しみ易さ、集団美を満足しているとは言い難く、事務作業等の軽作業でツナギを着用することは難しいと思われる。
【００２１】
また、上記記述から理解されるように、ツナギとズボンとは、被服（衣服）としてのもっとも基本的な使用目的、すなわち、作業者（着用者）の体を覆って安全性を確保するという使用目的を有する点は、お互いに一致しているが、他のほとんどの使用目的では、お互いが異なっており、商品や製品としてはまったく別物であり、お互いの技術分野は異なっている。
【００２２】
たとえば、ツナギでは、着用者がしゃがんだときに背中が出るとか腹部が圧迫されて腰痛が発生するということは無いが、ズボンでは、着用者がしゃがんだときに背中が出る等の上記弊害を克服する必要がある。この点に鑑みても、ツナギとズボンは、お互いが似ていて非なるものである。
【００２３】
本発明は、上記各不具合点に鑑みてなされたものであり、従来の通常のズボン（パンツ）に対して、変更部が目立ちにくい態様で、動きやすく、しかも、長時間の着用に耐えるズボンを提供することを目的とする。
【課題を解決するための手段】
【００２４】
請求項１に記載の発明は、着用者の腰部に対応する部位で、上端縁がベルト布に接合され、下端縁が後身頃に接合された伸縮性生地と、横方向に伸びた折り目のところで折り返されて襞状に形成され、前記伸縮性生地に重なるようにして、上端縁が前記ベルト布に接合され、下端縁が前記後身頃に接合された覆い布とを有するズボンである。
【００２５】
請求項２に記載の発明は、請求項１に記載のズボンにおいて、前記覆い布に複数の折り目が形成されていることで、前記覆い布が複数段の襞状になっているズボンである。
【００２６】
請求項３に記載の発明は、請求項１に記載のズボンにおいて、前記覆い布には少なくとも４本の折り目が形成されており、前記各折り目のうちで上から偶数本目の折り目のところもしくは上から偶数本目の折り目の近傍で、前記覆い布が前記伸縮性生地に接合されている覆い布・伸縮性生地接合部位が形成されており、前記ズボンの着用者がしゃがんだ姿勢をとったときにおける前記着用者の皮膚の伸びに対応して、前記各覆い布・伸縮性生地接合部位と、ベルト布に接合されている伸縮性生地や覆い布の上端縁の部位と、後身頃に接合されている伸縮性生地や覆い布の下端縁の部位とのうちで、お互いが隣接している部位間の距離が、上下方向でお互いに異なっているズボンである。
【００２７】
請求項４に記載の発明は、請求項１〜請求項３のいずれか1項に記載のズボンにおいて、左右それぞれの前身頃の股内側側縁と前記後身頃の股内側側縁とを接合すると共に、前身頃の股外側側縁と前記後身頃の股外側側縁とを接合することにより構成されており、前記前身頃の股内側側縁と前記後身頃の股内側側縁の位置を、少なくとも開脚時に伸縮しにくい位置までそれぞれ前側と後側にずらして設定し、それらずらした位置にある前記前身頃の股内側側縁と前記後身頃の股内側側縁の間のスペースに襠部を介在させ、この襠部の前後方向における中央部の丈方向寸法を、位置をずらす前の前記前身頃の股内側側縁と前記後身頃の股内側側縁の丈方向寸法よりも長く設定した上で、前記襠部の前側側縁と前記前身頃の股内側側縁とを縫い合わせると共に、前記襠部の後側側縁と前記後身頃の股内側側縁とを縫い合わせたズボンである。
【００２８】
請求項５に記載の発明は、請求項１〜請求項４のいずれか1項に記載のズボンにおいて、ベルト部の長手方向の一部が伸縮自在に構成されているズボンである。
【発明の効果】
【００２９】
本発明によれば、従来の通常のズボン（パンツ）に対して、変更部が目立ちにくい態様で、動きやすく、しかも、長時間の着用に耐えるズボンを提供することができるという効果を奏する。
【図面の簡単な説明】
【００３０】
【図１】本発明の実施形態に係るズボンの正面図である。
【図２】同ズボンの側面図である。
【図３】同ズボンの後面図である。
【図４】同ズボンの後面図であって、ベルト部と腰部伸縮部を含むベルト部の下側の部位を展開した状態を示す図である。
【図５】図４におけるＶ―Ｖ断面図である。
【図６】本発明の実施形態に係るズボンの正面図である。
【図７】同ズボンの後面図である。
【図８】同ズボンの上半部の左側から見た側面図である。
【図９】同ズボンの左足部分を右足部分の上に股下位置で折り曲げて重ねた状態を示す要部構成図である。
【図１０】同ズボンの着用時における図８のＸ−Ｘ線に沿う断面図でる。
【図１１】同ズボンを構成する前身頃と後身頃と襠部の構成を示す平面図である。
【図１２】前身頃と後身頃だけでズボンを構成する一般の場合の右足部分の型紙の平面図である。
【図１３】図１２の型紙を元に襠部の型紙を作成する場合の手順の最初の工程を示す図である。
【図１４】図１３の次の工程を示す図である。
【図１５】図１４の次の工程を示す図である。
【図１６】図１５の次の工程を示す図である。
【図１７】図１６の次の工程を示す図である。
【図１８】図１３〜図１７までの工程で得られた本実施形態のズボンの右足部分の型紙の構成を示す平面図である。
【図１９】衣服圧の測定箇所を示す図である。
【図２０】衣服圧の測定結果を示す図である。
【図２１】衣服圧を測定するときにおけるズボンの着用者の姿勢を示す図である。
【図２２】（ａ）は本発明の実施形態に係るズボンを着用して腰を前に曲げた状態を示す図であり、（ｂ）は従来のズボンを着用して腰を前に曲げた状態を示す図である。
【図２３】本発明の実施形態に係るズボンのアンケート結果を示す図である。
【図２４】従来のズボンに関するアンケート結果を示す図である。
【発明を実施するための形態】
【００３１】
ズボン１０は、たとえば、事務作業（デスクワーク）等の軽微な作業に使用される長ズボンであって、はいた場合に着用者の体（臍のところの水平ラインよりも下側の部位；腰部を含む腹部の下側の部位と足を含む下肢の部位；腰部を含む腹部の下側の部位と大腿部と下腿部）には密着しない構成、すなわち、着用者の皮膚との間にツナギほどではないにせよ若干の空間が存在する形態になっている。ただし、たとえば、ベルトラインのところ（ベルトラインと、ベルトラインからたとえば１０ｃｍ〜２０ｃｍ程度の若干量下がった部位との間の環状の箇所）では、着用者の皮膚に直接にもしくは下着を介して密着するようになっている。
【００３２】
また、ズボン１０には、図５等で示すように、伸縮性生地２０１と覆い布２０３とが設けられている。伸縮性生地２０１は、図４等で示すように、たとえば、矩形状に形成されており、ズボン１０の着用者の腰部に対応する部位（腰部から臀部の上側に対応する部位；仙骨部とこの仙骨部の水平方向左右両側の部位）に、仙骨部の幅の１．５倍〜３倍程度の幅で設けられている。
【００３３】
伸縮性生地２０１は、この上端縁（横方向に延伸している上側の辺の全長もしくはこの近傍の部位）が、環状のベルト部２０５の下端（下側の縁もしくはこの近傍）で、布帛等の伸縮性をほとんど有しないベルト布（ベルト部２０５を構成する布）２０７に一体的に接合されている（たとえば横方向に延びた縫い目２０９で縫合されている）。
【００３４】
ズボン１０には、ベルト通し２０６が設けられており、ズボン１０の着用者は、ほとんどの場合、ベルト部２０５の外周でベルト通し２０６にベルトを通し、ズボン１０が落下しないようにベルトでウエストを適当に締め付け、ズボン１０を着用する。
【００３５】
ベルト通し２０６は、ズボン１０の前側では、図１で示すように、たとえば、斜め前方の２箇所（たとえば、左右の乳頭直下の部位）に設けられている。
【００３６】
なお、ズボン１０の前側にベルト通し２０６を４つ設ける等の複数設けた構成であってもよい（図示せず）。ベルト通し２０６を４つ設けた構成では、２つのベルト通し（前内側ベルト通し）２０６は、左右の乳頭直下よりもやや内側に位置し、他の２つのベルト通し（前外側ベルト通し）２０６は、左右の乳頭直下よりもやや外側に位置している。また、前外側ベルト通し２０６は、ズボン１０の前ポケットの開口部の上方に位置している。
【００３７】
また、ベルト通し２０６は、ズボン１０の後側では、図３で示すように、たとえば、斜め後方の２箇所と真後の１箇所に設けられている。斜め後方の２箇所のベルト通しのうちの一方のベルト通し２０６は、伸縮性生地２０１と覆い布２０３との左端の上方に位置し、他方のベルト通し２０６は、伸縮性生地２０１と覆い布２０３との右端の上方に位置している。
【００３８】
図１や図３では、ベルト通し２０６の幅が異なっている。たとえば、図１の右側のベルト通し２０６は幅広になっており、図１の左側のベルト通し２０６は幅狭になっており、図３の真ん中のベルト通し２０６は幅広になっており、図３の左右のベルト通し２０６は幅狭になっている。
【００３９】
ここで、一部もしくは総てのベルト通し２０６を幅狭のタイプに変更してもよいし、逆に、一部もしくは総てのベルト通し２０６を幅広のタイプに変更してもよい。
【００４０】
ただし、図３の真ん中のベルト通し２０６を幅狭タイプに変更する場合には、２つのベルト通し２０６にすることが望ましい。すなわち、図３の真ん中の幅広のベルト通し２０６の左右方向の中間部を削除して、２つの幅狭のベルト通しにすることが望ましい。
【００４１】
また、ズボン１０には、図３で示すように、一対の後ポケット２０８が左右の臀部のところに設けられている。後ポケット２０８は、たとえば、玉縁ポケットになっており、伸縮性生地２０１と覆い布２０３との左右端の下方に位置している。
【００４２】
すなわち、ズボン１０の左右方向において、左側の後ポケット２０８の中心と、伸縮性生地２０１と覆い布２０３との左端との位置がお互いにほぼ一致しており、右側の後ポケット２０８の中心と、伸縮性生地２０１と覆い布２０３との右端との位置がお互いにほぼ一致している。
【００４３】
なお、後ポケット２０８の幅（左右方向の寸法）は、伸縮性生地２０１や覆い布２０３の幅（左右方向の寸法）の１／２程度が１／２よりも僅かに小さくなっている。
【００４４】
伸縮性生地２０１は、この下端縁（横方向に延伸している下側の辺の全長もしくはこの近傍の部位）が布帛等の伸縮性をほとんど有しない布で構成されている後身頃１２に一体的に接合されている（横方向に延びた縫い目２１１で縫合されている）。
【００４５】
また、伸縮性生地２０１は、たとえばパワーネット生地で構成されている。パワーネット生地とは、ストレッチ性を備えた細かいネット状の編物である。ナイロン等の繊維とポリウレタンの弾性繊維とをお互いに交編して生成されており、伸びたときのキックバック性に優れている。
【００４６】
覆い布２０３は、幅寸法（横方向の寸法）が伸縮性生地２０１とほぼ等しく、上下方向の寸法が伸縮性生地２０１の上下方向の寸法よりも大きい矩形状に形成されている。覆い布２０３は、横方向（幅方向）に伸びた折り目２１３のところで折り返されて襞状もしくはジャバラ状に形成されている（プリーツになっている）。なお、襞状になっている覆い布の上下方向の寸法は、伸縮性生地２０１の上下方向の寸法とほぼ等しくなっている。
【００４７】
覆い布２０３は、ズボン１０の着用者の腰部に対応する部位で、伸縮性生地２０１に重ねられて設けられている。覆い布２０３は、この上端縁（横方向に延伸している上側の辺の全長もしくはこの近傍の部位）が、環状のベルト部２０５の下端（下側の縁もしくはこの近傍）で、ベルト布２０７（ベルト部２０５）に、伸縮性生地２０１といっしょに一体的に接合されている（横方向に延びた縫い目２０９で縫合されている）。
【００４８】
覆い布２０３は、この下端縁（横方向に延伸している下側の辺の全長もしくはこの近傍の部位）が、後身頃１２に、伸縮性生地２０１といっしょに一体的に接合されている（横方向に延びた縫い目２１１で縫合されている）。
【００４９】
また、覆い布２０３は、たとえば布帛等のほとんど伸縮しない布で構成されている。
【００５０】
上述したように伸縮性生地２０１と覆い布２０３とが設けられていることで、ズボン１０の腰部（ズボン１０の着用者の腰部に対応する部位）には、上下方向で伸縮する腰部伸縮部（アクティブリッジ）２１５が設けられていることになる。
【００５１】
矩形状の伸縮性生地２０１の横方向（上下方向に直交する方向）の一端縁（上下方向に延伸している左側の辺もしくはこの近傍の部位）は、図４で示すように、後身頃１２に一体的に接合されている（上下方向に延びた縫い目２１７で縫合されている）。同様にして、伸縮性生地２０１の横方向の他端縁（上下方向に延伸している右側の辺もしくはこの近傍の部位）が後身頃１２に一体的に接合されている（上下方向に延びた縫い目２１９で縫合されている）。
【００５２】
覆い布２０３の１本目の折り目２１３（２１３Ａ）は、覆い布２０３の上側で覆い布２０３の全幅にわたり横方向に延びており、１本目の折り目２１３Ａのところで覆い布２０３がたとえば山折り（ズボン１０の外側から見て山折り）でほぼ１８０°折り返されている（図５参照）。
【００５３】
覆い布２０３には、複数の折り目２１３が形成されている場合がある。これによって、覆い布２０３が複数段の襞状になる場合がある。
【００５４】
折り目２１３が設けられている覆い布２０３について詳しく説明する。覆い布２０３の２本目の折り目２１３Ｂは、覆い布２０３の道のりにおいて覆い布２０３の上端縁から離れる方向で、１本目の折り目２１３Ａから所定の距離だけ離れて、覆い布２０３の全幅にわたり横方向に延びている。２本目の目２１３Ｂのところでは、覆い布２０３がたとえば谷折り（ズボン１０の外側から見て谷折り）でほぼ１８０°折り返されている（図５参照）。
【００５５】
また、２本よりも多くの折り目２１３が設けられている場合、３本目以降の折り目２１３は、１本目や２本目の折り目２１３Ａ，２１３Ｂと同様にして、覆い布２０３の全幅にわたり横方向に延びている。
【００５６】
３本目以降の折り目２１３Ｃ，２１３Ｄ・・・は、覆い布２０３の道のりにおいて覆い布２０３の上端縁から離れる方向で、その前の折り目（たとえば２本目の折り目２１３Ｂ）よりも下側でその前の折り目（たとえば２本目の折り目２１３Ｂ）から所定の距離だけ離れている。また、３本目以降の折り目２１３は、奇数本目の折り目２１３で山折りされており、偶数本目の折り目２１３で谷折りされている。
【００５７】
そして、折り目２１３がたとえば２本だけ設けられている場合にあっては、上述したように襞状に形成された覆い布２０３の上端縁がベルト布２０７に接合され覆い布２０３の下端縁が後身頃１２に接合されていることで、上端縁と１本目の折り目２１３Ａとの間における覆い布２０３の部位では、上端縁から１本目の折り目２１３Ａにかけて上から下に向かって覆い布２０３が延伸しており、１本目の折り目２１３Ａと２本目の折り目２１３Ｂとの間における覆い布２０３の部位では、１本目の折り目２１３Ａから２本目の折り目２１３Ｂにかけて下から上に向かって覆い布２０３が延伸しており、２本目の折り目２１３Ｂから下端縁との間における覆い布２０３の部位では、２本目の折り目２１３Ｂから下端縁にかけて上から下に向かって覆い布２０３が延伸していることになる。
【００５８】
同様にして、折り目２１３がたとえば２本よりも多くの数設けられている場合にあっては、偶数本目（ｎ本目）の折り目２１３と、前記偶数本目の折り目２１３と次の奇数本目（ｎ+１本目）の折り目２１３との間における覆い布２０３の部位では、偶数本目（ｎ本目）の折り目２１３から奇数本目（ｎ+１本目）の折り目２１３にかけて上から下に向かって覆い布２０３が延伸しており、奇数本目（ｎ+１本目）の折り目２１３と、前記奇数本目の折り目２１３の次の偶数本目（ｎ+２本目）の折り目２１３との間における覆い布２０３の部位では、奇数本目（ｎ+１本目）の折り目２１３から偶数本目（ｎ+２本目）の折り目２１３にかけて下から上に向かって覆い布２０３が延伸している。
【００５９】
各折り目２１３のところで、１８０°折り返されて襞状で矩形状になっている覆い布２０３の横方向の寸法は、伸縮性生地２０１の幅寸法（伸縮性生地２０１に引っ張り力等の外力が加わっておらず伸縮性生地２０１に伸びが発生していない状態における幅寸法）とほぼ等しくなっている。
【００６０】
また、各折り目２１３のところで、１８０°折り返されて襞状で矩形状になっている覆い布２０３の上下方向の寸法は、伸縮性生地２０１の上下方向の寸法（伸縮性生地２０１に引っ張り力等の外力が加わっておらず伸縮性生地２０１に伸びが発生していない状態における上下方向の寸法）とほぼ等しくなっている。
【００６１】
そして、伸縮性生地２０１が覆い布２０３の内側（ズボン１０の着用者の腰側）に位置するようにして、伸縮性生地２０１の全体と、各折り目２１３のところで１８０°折り返されて矩形な襞状になっている覆い布２０３の全体とがお互いに重なっている。したがって、ズボン１０の外側には伸縮性生地２０１が現れないようになっている。
【００６２】
ここで、伸縮性生地２０１の全体と、各折り目２１３のところで１８０°折り返されて矩形状になっている覆い布２０３の全体とをお互いに重ね、さらに、伸縮性生地２０１の上端縁と覆い布２０３の上端縁とをお互いに縫い合わせ、伸縮性生地２０１の下端縁と覆い布２０３の下端縁とをお互いに縫い合わせた状態を、伸縮性生地覆い布準接合状態とする。
【００６３】
上記伸縮性生地覆い布準接合状態で、伸縮性生地２０１と覆い布２０３とを上下方向に伸ばす引っ張り力を、伸縮性生地２０１と覆い布２０３との上端縁と、伸縮性生地２０１と覆い布２０３との下端縁とに加えると、伸縮性生地２０１と覆い布２０３とが上下方向で伸びるが（伸縮性生地２０１は弾性変形し覆い布２０３は折り目２１３で形成されている襞によって延びるが）、覆い布２０３が伸びきって覆い布２０３の折り目２１３が消滅すると、覆い布２０３に邪魔されて、伸縮性生地２０１と覆い布２０３とがそれ以上伸びないようになっている。なお、覆い布２０３が伸びきった状態であっても伸縮性生地２０１は完全には伸びきっていないものとする。
【００６４】
また、覆い布２０３は、各折り目２１３で折り返されている状態（畳まれている襞状になっている状態）で、覆い布２０３の横方向の一端縁（上下方向に延伸している左側の辺もしくはこの近傍の部位）が、伸縮性生地２０１といっしょに後身頃１２に一体的に接合されている（上下方向に延びた縫い目２１７で縫合されている）。同様にして、覆い布２０３の横方向の他端縁（上下方向に延伸している右側の辺もしくはこの近傍の部位）が、伸縮性生地２０１といっしょに後身頃１２に一体的に接合されている（上下方向に延びた縫い目２１９で縫合されている。
【００６５】
なお、ズボン１０の着用者が直立姿勢であるときには、伸縮性生地２０１はほとんど延びていない。また、後身頃１２の部位であって伸縮性生地２０１や覆い布２０３が設置される部位には、後身頃１２が矩形状に切り欠かれている（図４参照）。
【００６６】
さらに、伸縮性生地２０１と覆い布２０３とは、ズボン１０の着用者の仙骨部よりも大きく形成されている。より具体的には、伸縮性生地２０１と覆い布２０３との幅寸法が仙骨部の幅に対して１．５〜３．０倍（より好ましくは１．５倍〜２．０倍）程度になっており、伸縮性生地２０１と覆い布２０３との上下方向の寸法が仙骨部の上下方向の寸法に対して１．０〜１．５倍程度になっている。
【００６７】
そして、ズボン１０を履いた着用者を後方から見ると、伸縮性生地２０１と覆い布２０３とが、ズボン１０の着用者の仙骨部とこの周辺部（臀部の一部）とを覆っている。
【００６８】
また、ズボン１０の覆い布２０３にはたとえば４本（５本以上であってもよい。）の折り目２１３（２１３Ａ，２１３Ｂ，２１３Ｃ，２１３Ｄ）が形成されている。各折り目２１３のうちで上から偶数本目の折り目２１３Ｂ，２１３Ｄのところもしくは偶数本目の折り目２１３Ｂ，２１３Ｄの近傍で、覆い布２０３が伸縮性生地２０１に一体的に接合されている（覆い布２０３の横方向の全長にわたって伸びた縫い目２２１で接合されている）。これにより、覆い布・伸縮性生地接合部位２２５が形成されている。
【００６９】
そして、ズボン１０の着用者がしゃがんだ姿勢をとったときにおける着用者の皮膚の伸び（上下方向での皮膚の伸び）に対応して、各覆い布・伸縮性生地接合部位２２５と、ベルト布２０７に接合されている伸縮性生地２０１や覆い布２０３の上端縁の部位と、後身頃１２に接合されている伸縮性生地２０１や覆い布２０３の下端縁の部位とのうちでお互いが隣接している部位間の距離が、上下方向でお互いに異なっている。たとえば、図５に示す寸法ＬＡと寸法ＬＢとの値がお互いに異なっており、寸法ＬＢのほうが寸法ＬＡよりも大きくなっている。
【００７０】
例を掲げてより具体的に説明すると、覆い布２０３には、折り目２１３（２１３Ａ，２１３Ｂ，２１３Ｃ，２１３Ｄ）が４本形成されており、これらの折り目２１３は、上側から下側に向かって第１の折り目（１本目の折り目）２１３Ａ、第２の折り目（２本目の折り目）２１３Ｂ、第３の折り目（３本目の折り目）２１３Ｃ、第４の折り目（４本目の折り目）２１３Ｄの順に並んでいる（図５参照）。
【００７１】
覆い布２０３の上端縁と第１の折り目２１３Ａとの間における覆い布２０３の部位（上端縁・第１折り目間部位）では、前述したように、上端縁から第１の折り目２１３Ａにかけて上から下に向かって覆い布２０３が延伸している。
【００７２】
覆い布２０３の第１の折り目２１３Ａと第２の折り目２１３Ｂとの間における覆い布２０３の部位（第１折り目・第２折り目間部位）では、前述したように、第１の折り目２１３Ａから第２の折り目２１３Ｂにかけて下から上に向かって覆い布２０３が延伸している。また、上記第１折り目・第２折り目間部位では、覆い布２０３が、伸縮性生地２０１と上記上端縁・第１折り目間部位との間で、上記上端縁・第１折り目間部位よりも短く延伸している（上下方向で短く延伸している）。
【００７３】
覆い布２０３の第２の折り目２１３Ｂと第３の折り目２１３Ｃとの間における覆い布２０３の部位（第２折り目・第３折り目間部位）では、前述したように、第２の折り目２１３Ｂから第３の折り目２１３Ｃにかけて上から下に向かって覆い布２０３が延伸している。また、上記第２折り目・第３折り目間部位では、覆い布２０３が、上記第１折り目・第２折り目間部位よりも長く延伸している（上下方向で長く延伸している）。
【００７４】
覆い布２０３の第３の折り目２１３Ｃと第４の折り目２１３Ｄとの間における覆い布２０３の部位（第３折り目・第４折り目間部位）では、第３の折り目２１３Ｃから第４の折り目２１３Ｄにかけて下から上に向かって覆い布２０３が延伸している。また、上記第３折り目・第４折り目間部位では、覆い布２０３が、伸縮性生地２０１と上記第２折り目・第３折り目間部位との間で、上記第２折り目・第３折り目間部位よりも短く延伸している（上下方向で短く延伸している）。
【００７５】
また、覆い布２０３の第４の折り目２１３Ｄと覆い布２０３の下端縁との間における覆い布２０３の部位（第４折り目・下端縁間部位）では、第４の折り目２１３Ｄから下端縁にかけて上から下に向かって覆い布２０３が延伸している。また、上記第４折り目・下端縁間部位では、覆い布２０３が、上記第３折り目・第４折り目間部位よりも長く延伸している（上下方向で長く延伸している）。
【００７６】
ところで、図５で示すように、覆い布２０３の第２の折り目２１３Ｂの近傍（第２の折り目２１３Ｂと第３の折り目２１３Ｃとの間における第２の折り目２１３Ｂの近傍）で、覆い布２０３の全幅にわたって横方向に延びた縫い目２２１によって、覆い布２０３が伸縮性生地に縫合されている（第２の覆い布・伸縮性生地接合部位２２５Ｂが形成されている）。
また、覆い布２０３の第４の折り目２１３Ｄの近傍（第４の折り目２１３Ｄと下端縁との間における第４の折り目２１３Ｄの近傍）で、覆い布２０３の全幅にわたって横方向に延びた縫い目２２３によって、覆い布２０３が伸縮性生地２０１に縫合されている（第４の覆い布・伸縮性生地接合部位２２５Ｄが形成されている）。
【００７７】
なお、第２の覆い布・伸縮性生地接合部位２２５Ｂは、第４の覆い布・伸縮性生地接合部位２２５Ｄよりも上方に位置している。
【００７８】
そして、伸縮性生地２０１においては、伸縮性生地２０１の上端縁（ベルト布２０７への接合部）と第２の覆い布・伸縮性生地接合部位２２５Ｂとの間の距離（上下方向での距離）ＬＡが、第２の覆い布・伸縮性生地接合部位２２５Ｂと第４の覆い布・伸縮性生地接合部位２２５Ｄとの間の距離（上下方向での距離）ＬＢよりも小さくなっている。
【００７９】
これにより、ズボン１０の着用者がしゃがんだ姿勢等をとって腰部や臀部の皮膚が伸びたとき、この皮膚の伸びに応じて、伸縮性生地２０１が適宜伸び、ズボン１０の着用者に違和感（腹部での圧迫等）が発生することを回避することができる。すなわち、伸縮性生地２０１を設けていないと、図２２（ｂ）で示すように、着用者がしゃがんだときズボンのベルト部（ベルト）が、下方に下がってしまい、前側ではベルトによって着用者の腹部が圧迫されてしまう。さらに腹部の圧迫によって着用者の背骨も圧迫され、腰痛が発生するおそれがある。しかし、ズボン１０では、図２２（ａ）示すように、伸縮性生地２０１が伸びるので、腹部が圧迫されず腰痛が発生することは無い。
【００８０】
さらに説明すると、ズボン１０の着用者がしゃがんだ姿勢等をとると、ズボン１０の腰部から臀部にかけては、腰部から臀部（上から下）に向かうにしたがって、皮膚の伸びる量が多くなる（臀部上方よりも臀部下部（臀溝部）のほうが皮膚の伸び率が大きい）。そこで、上述したように、上側（伸縮性生地２０１の上端縁と第２の覆い布・伸縮性生地接合部位２２５Ｂとの間）よりも下側（第２の覆い布・伸縮性生地接合部位２２５Ｂと第４の覆い布・伸縮性生地接合部位２２５Ｄとの間）で伸縮性生地２０１が大きく伸びるようにすることで、ズボン１０の着用者がしゃがんだ姿勢等になったときに発生する腰部や臀部の違和感や腹部の圧迫感を小さくすることができ腰痛の発生を無くすことができる。
【００８１】
なお、第４の覆い布・伸縮性生地接合部位２２５Ｄと覆い布２０３の下端縁（後身頃１２との接合部）との間（図５で示すＬＣの部位）では、上下方向で、平板状の覆い布２０３と平板状の伸縮性生地２０１とがお互いに重なっているので、ズボン１０の着用者がしゃがんだ姿勢等をとったときであっても、覆い布２０３に邪魔されて伸縮性生地２０１が伸びることは無い。したがって、図５で示すＬＣの部位において、伸縮性生地２０１を削除してもよい。
【００８２】
また、覆い布２０３の第１の折り目２１３Ａの近傍と第３の折り目２１３Ｃの近傍とには、図５で示すように、縫い目（覆い布の幅の全長にわたって延びている縫い目）２２７が設けられており、覆い布２０３がお互いに重なっている。これにより、折り目２１３Ａ，２１３Ｄの形状が維持されるようになっている。
【００８３】
また、ズボン１０では、着用者の股に対応する部位に襠部１３が設けられている。これについて、以下図面を参照しつつ詳しく説明する。
【００８４】
図６は実施形態のズボン１０の正面図、図７はズボン１０の後面図である。なお、図６、図７は、主に「Ｕ」字状の襠部１３を説明するための図であるので、図６、図７では、腰部伸縮部（アクティブリッジ）２２５の表示を省略している。また、図８〜図１８においても同様にして腰部伸縮部（アクティブリッジ）２２５の表示は省略している。
【００８５】
図８はズボン１０の上半部の左側から見た側面図、図９はズボン１０の左足部分を右足部分の上に股下位置で折り曲げて重ねた状態を示す要部構成図、図１０はズボン１０の着用時における図８のＸ−Ｘ線に沿う断面図、図１１はズボン１０を構成する前身頃（布帛等の伸縮性をほとんど有しない布で構成されている前身頃）１１と後身頃と襠部（布帛等の伸縮性をほとんど有しない布で構成されている襠部）１３の構成を示す平面図、図１２は前身頃と後身頃だけでズボンを構成する一般の場合の右足部分の型紙の平面図、図１３〜図１８は図１２の型紙を元に襠部の型紙を作成する場合の手順を示す図で、図１３は最初の工程を示す図、図１４は図１３の次の工程を示す図、図１５は図１４の次の工程を示す図、図１６は図１５の次の工程を示す図、図１７は図１６の次の工程を示す図、図１８は図１３〜図１７までの工程で得られた本実施形態のズボンの右足部分の型紙の構成を示す平面図である。
【００８６】
図６、図７に示すように、このズボン１０は、左右一対の前身頃１１と、左右一対の後身頃１２と、内股側の襠部１３とを縫い合わせたものである。襠部１３は、右足部分１０Ｒの裾から左足部分１０Ｌの裾まで連続して設けられている。
【００８７】
図８に示すように、前身頃１１の股内側側縁１１ａと後身頃１２の股内側側縁１２ａの位置は、開脚時に大きく伸縮する領域と伸縮しにくい領域との境界線Ｐ（図１３参照）の位置までそれぞれ前側と後側にずらして設定されている。図中Ｑで示す線は、襠部１３を追加しない従来の場合の前身頃の股内側側縁と後身頃の股内側側縁との縫い目の位置である。なお、図８の左側は前側Ｆ、右側は後側Ｒである。
【００８８】
襠部１３は、前側と後側にずらした位置にある前身頃１１の股内側側縁１１ａと後身頃１２の股内側側縁１２ａの間のスペースに介在されており、この襠部１３の前後方向中央部の腿上部の丈方向寸法Ｌ２は、位置をずらす前の前身頃の股内側側縁と後身頃の股内側側縁の位置（Ｑの位置）における腿上部の丈方向寸法Ｌ１よりも長く設定されている。これにより、図９に示すように、襠部１３の股下中央部分の開脚方向の長さＬ３が従来のものよりも長くなっている。
【００８９】
そして、図１１に示すように、裁断された３パーツ１３Ａ，１３Ｂ，１３Ｃからなる襠部１３を縫い合わせて一体の襠部１３を作製し、この襠部１３と同じく裁断された前身頃１１と後身頃１２とを縫い合わせることで、実施形態のズボン１０が作製されている。即ち、左右それぞれの襠部１３の前側側縁１３ａと前身頃１１の股内側側縁１１ａとを縫い目２２にて縫い合わせると共に、襠部１３の後側側縁１３ｂと後身頃１２の股内側側縁１２ａとを縫い目２３にて縫い合わせ、左右の前身頃１１の股外側側縁１１ｂと後身頃１２の股外側側縁１２ｂとを図示しない縫い目で縫い合わせ、更に、左右の前身頃１１の胴部同士をチャック部材（図示せず）を介して縫い合わせ、左右の後身頃１２の胴部同士を縫い目２１で縫い合わせて胴部を拵えることにより、実施形態のズボン１０が作製されている。
【００９０】
この縫い合わせた状態で、前身頃１１および後身頃１２の各股内側側縁１１ａ、１２ａと襠部１３の縫い目２２、２３の位置が、前方および後方から見た際に股内側の目立たない位置にある。又、前身頃１１および後身頃１２の各股内側側縁１１ａ，１２ａと襠部１３の縫い目２２，２３の位置は、閉脚時と開脚時で内股側の皮膚の伸縮が多い位置と少ない位置の境界に設定されている。つまり、この実施形態では双方の条件が一致する位置となっている。
【００９１】
また、襠部１３は、少なくとも股下部分において両足側が縫い目無しで一体に構成されており、ここでは、股下部分１３１が一体の連続布で形成され、それに連なる腿下部分１３２が、縫い目２４にて別の布を継いで構成されている。
【００９２】
次に、このズボン（ベルト部２０５や腰部伸縮部２１５を除いたズボン）１０を得るための製造方法について説明する。
【００９３】
最終的には、図１１に示すような形状に布を裁断して縫製するのであるが、まず、型紙を作る手順について、図１２〜図１８を参照しながら述べる。ここでは、右足側の型紙だけを図に示して説明する。また、型紙と布の符号を同一にして説明する。
【００９４】
最初に、前身頃と後身頃だけでズボンを構成する従来の場合の型紙を用意する。図１２は従来の型紙を示し、１１は前身頃で、１１ａは股内側側縁、１１ｂは股外側側縁、１２は後身頃で、１２ａは股内側側縁、１２ｂは股外側側縁である。
【００９５】
この型紙の段階で、図１３に示すように、前身頃１１および後身頃１２の開脚時に大きく伸縮する領域Ｓ２と伸縮しにくい領域Ｓ１との境界線Ｐを決定する。
【００９６】
次に、図１４に示すように、その境界線Ｐで型紙をカット（裁断）し、前身頃１１の型紙の股内側側縁１１ａと、後身頃１２の型紙の股内側側縁１２ａの各位置を、カットした位置に新たに設定する。つまり、開脚時に大きく伸縮する領域Ｓ２と伸縮しにくい領域Ｓ１との境界線Ｐの位置で型紙を裁断することにより、境界線Ｐの位置まで、前身頃１１の股内側側縁１１ａと、後身頃１２の股内側側縁１２ａの位置をそれぞれ前側と後側にずらす。
【００９７】
次に、図１５に示すように、カットにより前身頃１１の型紙より切り離された第１片１１１と後身頃１２の型紙より切り離された第２片１１２の前後側縁が曲線を描く膝上側の部分を、それぞれ上下方向に複数の小片１１１ａ、１１２ａに多分割する。
【００９８】
そして、図１６に示すように、第１片１１１側の複数の小片１１１ａを、第１片１１１の前側側縁１１１ｃの丈方向寸法を維持しつつ、各小片１１１の後側側縁１１１ｄが第１片１１１の裾Ｅから直上する線Ｒ１上に並ぶように置き直すことで、第１片１１１の形状を修正する。つまり、各小片１１１ａの図中Ｋ１点を基点として、直線Ｒ１上に後側側縁１１１ｄが並ぶように、小片１１１ａを置き直すことで、第１片１１１の形状を修正する。
【００９９】
また、同様に、第２片１１２側の複数の小片１１２ａを、第２片１１２の後側側縁１１２ｃの丈方向寸法を維持しつつ、各小片１１１の前側側縁１１２ｄが第２片１１２の裾Ｅから直上する線Ｒ２上に並ぶように置き直すことで、第２片１１２の形状を修正する。つまり、各小片１１２ａの図中Ｋ２点を基点として、直線Ｒ２上に前側側縁１１２ｄが並ぶように、小片１１２ａを置き直すことで、第２片１１２の形状を修正する。
【０１００】
次いで、図１７および図１８に示すように、修正後のそれぞれ直線Ｒ１、Ｒ２上に位置する第１片１１１の後側側縁１１１ｄと第２片１１２の前側側縁１１２ｄとを合わせて第１片１１１と第２片１１２を合体した上で、前身頃１１および後身頃１２との縫い合わせ部分の寸法修正１０２〜１０３を上部に加えることにより、ずらした位置にある前身頃１１の型紙の股内側側縁１１ａと後身頃１２の型紙の股内側側縁１２ａの間のスペースに嵌まる襠部１３の型紙を形成する。
【０１０１】
そして、それら型紙に従い材料布より前身頃１１と後身頃１２と襠部１３とを裁断し、左右それぞれの前身頃１１の股内側側縁１１ａと襠部１３の前側側縁１３ａとを縫い合わせ、後身頃１２の股内側側縁１２ａと襠部１３の後側側縁１３ｂとを縫い合わせ、更に前身頃１１の股外側側縁１１ｂと後身頃１２の股外側側縁１２ｂとを縫い合わせた上で、左右の前身頃１１と後身頃１２を縫い合わせて胴部を拵えることにより、ズボン１０を作製する。
【０１０２】
このように作製したズボン１０によれば、それぞれ前側と後側に位置をずらして設定した前身頃１１の股内側側縁１１ａと後身頃１２の股内側側縁１２ａの間のスペースに襠部１３を介在させ、その襠部１３の前後方向中央部の丈方向寸法Ｌ２を、位置をずらす前の前身頃の股内側側縁と後身頃の股内側側縁の丈方向寸法Ｌ１よりも長く設定しているので、見た目のスマートさを保ちつつ、良好な開脚運動性を発揮することができる。即ち、図１０に示すように、内股部分に余裕を持たせることができ、開脚運動性を向上させることができる。尚、図１０では、襠部１３の寸法を明確化のため誇張して表示してある。
【０１０３】
また、前身頃１１および後身頃１２の各股内側側縁１１ａ、１２ａと襠部１３の縫い目の位置を、前方および後方から見た際に股内側に隠れる位置に設定しているので、見た目を良くすることができる。また、前身頃１１および後身頃１２の各股内側側縁１１ａ，１２ａと襠部１３の縫い目２２，２３の位置を、閉脚時と開脚時で内股側の皮膚の伸縮がある位置とない位置の境界に設定しているので、閉脚時には襠部１３によって突っ張り感が出ないため、開脚運動性を確実に向上させることができる。また、襠部１３の範囲をできるだけ内股の領域に留めることができ、縫い目２２，２３を目立たないようにすることができる。また、このズボン１０では、襠部１３の繋ぎ用の縫い目２４が股間部に位置しないため、縫い目２４によるごわごわ感（こわばり感）を無くすことができる。
【０１０４】
また、ズボン１０では、図４等で示すように、環状のベルト部２０５の長手方向（着用者の胴回りの方向）の一部が、伸縮自在に構成されている。
【０１０５】
たとえば、ベルト部２０５のうちで、ズボン１０の着用者の腰の左右の側部に対応する部位が弾性を備えて伸縮自在になっている。この伸縮自在になっているベルト部２０５の部位は、ゴム紐等の弾性体を筒状のベルト布２０７で覆って構成されている。
【０１０６】
さらに説明すると、伸縮自在に構成されているベルト部２０５の部位（一対のベルト部伸縮部）２２９（２２９Ａ，２２９Ｂ）のうちの左側のベルト部伸縮部２２９Ａの後側の端部２２９Ａ１は、ズボン１０の横方向において、腰部伸縮部２１５の左端とほぼ同じところに位置している（図４参照）。また、左側のベルト部伸縮部２２９Ａの前側の端部２２９Ａ２は、ズボン１０の着用者の左の鼡径部のところ（鼡径部の左端）に位置している。
【０１０７】
同様にして、右側のベルト部伸縮部２２９Ｂの後側の端部２２９Ｂ１は、ズボン１０の横方向において、腰部伸縮部２１５の右端とほぼ同じところに位置している（図４参照）。また、右側のベルト部伸縮部２２９Ｂの前側の端部２２９Ｂ２は、ズボン１０の着用者の右の鼡径部のところ（鼡径部の右端）に位置している。
【０１０８】
ズボン１０によれば、伸縮性生地２０１とこの伸縮性生地２０１を覆っている覆い布２０３とが着用者の腰部のところにのみに設けられているので、従来のズボンに比べても、覆い布２０３がたいして目立たなくなっており（変更部が目立ち難くなっており）、着用者の運動に伴って伸縮性生地２０１が適宜伸縮するので着用者が運動しやすくなっており、しかも、伸縮性生地２０１でのピリングやスナッキングが発生しないので、長時間の着用に耐え得るようになっている。
【０１０９】
さらに、ズボン１０によれば、着用者の腰部に対応する部位が伸縮性生地２０１になっており、さらに、伸縮性生地２０１を覆い布２０３で覆っているので、ズボン１０の着用者（作業者）がしゃがんだ姿勢や立膝の姿勢等をとる等作業者が腰を屈曲したときに、見栄えが悪化することが防止され、作業者の腹部の圧迫が低減され、さらに腰痛を低減することができる。
【０１１０】
すなわち、襞状の覆い布２０３で伸縮性生地２０１を覆っているので、ズボン１０の着用者が腰を屈曲（前屈）させたときでも、覆い布２０３が適宜伸縮し伸縮性生地２０１が露出することがないので、見栄えが悪化することがない。
【０１１１】
また、ズボン１０の着用者（作業者）が腰を屈曲したことで作業者の腰部等の皮膚が上下方向で延びても、伸縮性生地２０１が上記皮膚の伸びに応じて伸びるので、ズボン１０のベルト部２０５の後側の部位で、ズボン１０のベルト部２０５の後側の部位と作業者の腰部との間に間隙が形成されることがほぼ無くなり、これにより、ズボン１０のベルト部２０５での作業者の腹部への圧迫が低減され、腹部への圧迫の低減で腰痛を低減することができる。
【０１１２】
さらに、ズボン１０の着用者（作業者）が腰を屈曲したことで作業者の腰部等の皮膚が上下方向で延びて、伸縮性生地２０１が皮膚の伸びに応じて伸びても、襞状の覆い布２０３も同様に伸びるので、伸縮性生地２０１が露出せず、また、伸縮性生地２０１と覆い布２０３との伸びによりズボン１０のベルト部２０５の後側の部位と作業者の腰部との間に間隙が形成されることがほぼ無くなるので、見栄えが悪化することが防止される。
【０１１３】
さらに説明すると、従来のズボンでは、ツナギとは異なり、上衣が分離され下衣だけで構成されているので、図２２（ｂ）で示すように、ズボンの着用者が腰を屈曲（前屈）させると、ズボンのベルト部が、下方に下がってしまい、上述した間隙が形成される等して、着用者の腰の部分が露出してしまう。また、場合によってはズボンの中に入れておいたシャツ（裾部）がズボンの外に出てしまって見苦しくなる。腰の部分が露出することで、体が冷えてしまい、風邪をひきやすくなる等の弊害が発生する。
【０１１４】
これに対してズボン１０では、図２２（ａ）で示すように、ズボンの着用者が腰を屈曲（前屈）させても、伸縮性生地２０１が皮膚の伸びに応じて伸びるので、腰部が露出することが無くなり、腰部が保温される。
【０１１５】
また、ズボン１０の着用者がしゃがんでも、ズボン１０の裾（ベルト部のところ）から上衣等のシャツがはみ出す等の着崩れがなくなり、下着等の露出が無くなり、見た目が悪化することが回避され、ズボン１０からはみ出したシャツが突出物に引っかかることが回避され、機械に巻き込まれてしまう事態の発生が回避される。
【０１１６】
また、ズボン１０の着用者がしゃがんでも、ズボン１０の裾からズボン１０内に汚物や破片や溶接作業等の火花が入り込むことが回避され、着用者が怪我をするおそれが回避される。
【０１１７】
また、着崩れがほとんど発生しないので、着崩れを直す必要がほとんど無くなり、緊急時にも対応することができる。
【０１１８】
さらに、伸縮性生地２０１を備えているので、汗でズボン１０が着用者の皮膚に張り付いても、しゃがむ動作がし難くなることはない。
【０１１９】
また、ズボン１０によれば、通常の注意力を備えた者が認識することができる外見上の変更部分（従来のズボンに対する変更部分）が、覆い布２０３のところであるので、現在の社会通念においても、上品さ、ファッショナブル性、企業ＰＲへの貢献度、親しみ易さ、集団美を満足していると言える。
【０１２０】
また、ズボン１０によれば、ツナギとは異なり、当然に上衣部が存在しないので、ズボン１０の着用者が、文字を書き難くなったり、パーソナルコンピュータのキーボードやマウスの操作をし難くなったりすることがなく、しかも、ズボン１０の着用者に肩こり（ズボン１０に起因する肩こり）が発生することがない。
【０１２１】
また、座位において、ズボン１０の着用者の尻部のところで、ズボン１０が着用者と椅子とに挟まれてしまっても、上衣部が存在しないので、腰を旋回（人の中心を通り水平面に対して直交する軸まわりにおける旋回）等する動作がし難くなる等、体を動かしにくくなってしまうことがない。
【０１２２】
また、ズボン１０によれば、上衣が分離され下衣だけで構成されているので、ツナギと比較して開口部が大きくなっており（特に腰の部分で大きくなっており）、通気性がよく、夏場に感じる暑苦しさを低減することができる。一方で、冬場においては、上述したように、腰部が保温される。
【０１２３】
また、ズボン１０によれば、覆い布２０３に複数の折り目２１３が形成されており覆い布２０３が複数段の襞状になっているので、覆い布２０３が１段の襞状になっている場合に比べて、覆い布２０３の伸び量を大きくすることができ、ズボン１０の着用者がしゃがんだ姿勢等をとたっときに、ズボン１０の着用者の腹部への圧迫を一層低減することができる。
【０１２４】
すなわち、ズボン１０の伸縮性生地２０１（覆い布２０３）に対応する着用者の腰部では、着用者が直立しているときに比べて着用者がしゃがんだ姿勢のとき、皮膚が１３０％〜１５０％伸びるのであるが、覆い布２０３が複数段の襞状に形成されていることで、上記皮膚の伸びに容易に対応することができる。
【０１２５】
また、ズボン１０によれば、「Ｕ」字状の襠部１３と腰部伸縮部２１５とが設けられているので、「Ｕ」字状の襠部１３と腰部伸縮部２１５との組み合わせにより、ズボン１０の筒状部分（ズボン１０の着用者の脚が入る部分）をたくしあげなくても、ズボン１０の着用者がしゃがんだとき、ズボン１０の着用者の股部や腿部で、ズボン１０のひきつれを感じることがない。
【０１２６】
すなわち、「Ｕ」字状の襠部１３や腰部伸縮部２１５が設けられていない通常の形態のズボンを着用者が履いている場合、直立姿勢からしゃがもうとする前に、着用者はズボンの筒状部分を若干たくしあげる。このたくしあげをしないと、実際にしゃがんだときに、ズボンの腰部や膝部に対応する部位でズボンに大きな引っ張り力がかかり、着用者に突っ張り感やズボンが破れてしまいそうな感触を与えてしまう。
【０１２７】
しかし、「Ｕ」字状の襠部１３と腰部伸縮部２１５とを設けたズボン１０では、ズボン１０の着用者がしゃがむ場合にたくしあげをしなくとも、「Ｕ」字状の襠部１３と腰部伸縮部２１５とが設けられていることで、ズボン１０の腰部や膝部に対応する部位によって、着用者に突っ張り感やズボン１０が破れてしまいそうな感触を与えることは無い。
【０１２８】
また、ズボン１０によれば、ベルト部２０５の長手方向（着用者の胴回りの方向）の一部が伸縮自在に構成されているので、ズボン１０の着用者がしゃがむ等腰を屈曲したときであっても、腰部伸縮部２１５を設けたことと相まって、ズボン１０の着用者の腹部にかかる圧迫力を一層低減することができる。
【０１２９】
また、ズボン１０によれば、襞状の覆い布２０３と伸縮性生地２０１とで、着用者の仙骨部とこの周辺の部位が、他の体の部位よりも厚い布（重なっている布）で覆われており、しかも、ベルトラインと、ベルトラインからたとえば１０ｃｍ〜２０ｃｍ程度（腰部伸縮部２１５の高さ寸法と同じか僅かに長い程度）の若干量下がった部位との間の環状の箇所（筒状の部位）では、着用者の皮膚に直接にもしくは下着を介してズボン１０の部位が密着するようになっている。
【０１３０】
これにより、ズボン１０の着用者の腰が冷えることが防止される（腰が保温される）。冬場、ズボン１０を履いて家の外を歩くとき、腰部がポカポカと温かく、腰痛等の障害をもっていない健常者においても、至極快適である。特に、伸縮性生地２０１が細かいネット状になっているので、伸縮性生地２０１の細かな網目部に溜まっている空気が断熱材としての機能を発揮し、腰が一層保温されるようになっているのである。
【０１３１】
これに対して特許文献１や特許文献２のツナギでは、ツナギの腰部のところが厚い布（重なっている布）で覆われていても、ツナギと着用者の腰部との間に空間が存在しているので、ズボン１０のような着用者の腰部の保温を期待することはできない。
【０１３２】
ここで、ズボン１０を履いたときにおける着用者の腹部や腰部における衣服圧の測定結果等を示す。
【０１３３】
衣服圧の測定は、着用者がズボン１０（パンツ）もしくは従来のズボン（パンツ）を履き、ベルト部２０５の外周にベルト通し２０６にベルトを通してベルトを設置し、ベルトでズボン１０が落下しないようにウエストを適宜締め付けた状態で、ベルト部２０５とベルトとの間に、圧力センサを設置して行った。
【０１３４】
圧力センサの設置位置は、図１９で示すように、左肩甲骨直下部Ｐ１、左腋直下部Ｐ２、左乳頭直下部Ｐ３、正中線部Ｐ４、右乳頭直下部Ｐ５、右腋直下部Ｐ６、右肩甲骨直下部Ｐ７の７箇所とした。
【０１３５】
着用者は、図２１（ａ）に示す直立姿勢（起立姿勢）、図２１（ｂ）に示す立て膝姿勢、図２１（ｃ）に示す椅子座り姿勢をとり、このとき圧力センサでベルトとベルト部２０５との間の圧力を測定した。なお、ズボン１０における直立姿勢での圧力の測定は省略している。
【０１３６】
着用者は、甲、乙２名である。甲は、身長１７２ｃｍ、体重７８ｋｇ、ウエスト８８ｃｍの体格の男性である。乙は、身長１６９ｃｍ、体重７２．５ｋｇ、ウエスト９０ｃｍの体格の男性である。
【０１３７】
図２０に、圧力センサによる圧力の測定結果を示す。なお、図２０に示した値（単位はｋＰａ）は、平均値である。この平均値は、１０秒間の測定時間における平均値であり、より具体的には、１０秒間で１秒毎に１１回測定した圧力の平均値である。
【０１３８】
図２０（ａ）は、従来の普通のパンツを甲が履いて、直立姿勢、立て膝姿勢、椅子座り姿勢をとったときの、圧力の測定結果（７箇所の測定結果）を示している。
【０１３９】
図２０（ｂ）は、ズボン１０を甲が履いて、立て膝姿勢、椅子座り姿勢をとったときの、圧力の測定結果（７箇所の測定結果）を示している。
【０１４０】
図２０（ｃ）は、従来の普通のパンツを乙が履いて、直立姿勢、立て膝姿勢、椅子座り姿勢をとったときの、圧力の測定結果（７箇所の測定結果）を示している。
【０１４１】
図２０（ｄ）は、ズボン１０を乙が履いて、立て膝姿勢、椅子座り姿勢をとったときの、圧力の測定結果（７箇所の測定結果）を示している。
【０１４２】
図２０から明らかなように、直立姿勢に比べて、立て膝姿勢、椅子座り姿勢をとったときのほうが、圧力センサの検出した圧力（衣服圧）が大きくなっている。また、甲乙の個人差はあるが、通常のパンツの衣服圧とズボン１０の衣服圧とを比べると、特に立て膝姿勢をとったときに、着用者の前面（腹側）にかかる衣服圧が、ズボン１０で低減されている。なお、椅子座り姿勢をとったときにおいても、立て膝姿勢ほどではないが、着用者の前面（腹側）にかかる衣服圧が、ズボン１０で低減されている。
【０１４３】
さらに、衣服圧については、一般的に３．９２ｋＰａが許容限界とされているが、ズボン１０では、最大の値が２．８３ｋＰａであり、いずれの衣服圧も上記許容値を下回っている。
【０１４４】
これにより、ズボン１０では、着用者の、腰痛の発生の防止等の上述した効果に加えて、血圧の上昇、脈拍の上昇、発汗等の生理現象、倦怠感、頭痛、嘔吐感を抑制することができる。
【０１４５】
次に、ズボン１０のアンケート結果について、図２３を参照しつつ説明する。
【０１４６】
アンケートは、（１）着用感と、（２）素材について行った。アンケート対象者は、Ａ社およびＢ社の社員である。Ａ社Ｂ社は岩手県の会社であり、Ａ社は、労働派遣業、電気・通信機器部品，自動車部品および光学機器部品等のデザインモデルや製作品の設計・製造、金型，同部品の設計・製造、プラスチック樹脂等の成形加工品の設計・製造を行っている会社である。Ａ社のアンケート回答者は２人である。
【０１４７】
Ｂ社は、鉄道輸送関連業務、ビルメンテナンス業務、警備業務を行っている会社である。Ｂ社のアンケート回答者は１０人である。
【０１４８】
（１）の着用感に関してしゃがみ姿勢をとったとき、とても動き易いが２人（Ａ社１人、Ｂ社１人）、動き易いが９人（Ａ社１人、Ｂ社８人）、普通が１人（Ａ社０人、Ｂ社８人）、動きにくいは０人であった。
【０１４９】
（１）の着用感に関して開脚姿勢をとったとき、とても動き易いが２人（Ａ社０人、Ｂ社２人）、動き易いが７人（Ａ社２人、Ｂ社５人）、普通が３人（Ａ社０人、Ｂ社３人）、動きにくいは０人であった。
【０１５０】
（２）の素材の耐久性に関しては、とても丈夫は０人、丈夫が５人（Ａ社０人、Ｂ社５人）、普通が５人（Ａ社１人、Ｂ社４人）、破れ易いは０人であった。
【０１５１】
（２）の素材の吸汗拡散性に関しては、汗がとても乾き易いは０人（Ａ社０人、Ｂ社０人）、乾き易いが４人（Ａ社２人、Ｂ社２人）、普通が８人（Ａ社０人、Ｂ社８人）、乾きにくいは、０人であった。
【０１５２】
上記アンケート結果により、ズボン１０が動き易さや耐久性等が、向上していることが明らかになっている。
【符号の説明】
【０１５３】
１０  ズボン
１１  前身頃
１１ａ  股内側側縁
１１ｂ  股外側側縁
１２  後身頃
１２ａ  股内側側縁
１２ｂ  股外側側縁
１３  襠部
１３ａ  前側側縁
１３ｂ  後側側縁
２２，２３  縫い目
１１１  第１片
１１１ａ  小片
１１１ｃ  前側側縁
１１１ｄ  後側側縁
１１２  第２片
１１２ａ  小片
１１２ｃ  後側側縁
１１２ｄ  前側側縁
２０１  伸縮性生地
２０３  覆い布
２０５  ベルト部
２０７  ベルト布
２０９、２１１、２２１、２２３  縫い目
２２９  ベルト部伸縮部
Ｒ１  第１片の裾から直上する線
Ｒ２  第２片の裾から直上する線
Ｐ  境界線
Ｅ  裾
【図１】
2014132131.tif 000003
【図２】
2014132131.tif 000004
【図３】
2014132131.tif 000005
【図４】
2014132131.tif 000006
【図５】
2014132131.tif 000007
【図６】
2014132131.tif 000008
【図７】
2014132131.tif 000009
【図８】
2014132131.tif 000010
【図９】
2014132131.tif 000011
【図１０】
2014132131.tif 000012
【図１１】
2014132131.tif 000013
【図１２】
2014132131.tif 000014
【図１３】
2014132131.tif 000015
【図１４】
2014132131.tif 000016
【図１５】
2014132131.tif 000017
【図１６】
2014132131.tif 000018
【図１７】
2014132131.tif 000019
【図１８】
2014132131.tif 000020
【図１９】
2014132131.tif 000021
【図２０】
2014132131.tif 000022
【図２１】
2014132131.tif 000023
【図２２】
2014132131.tif 000024
【図２３】
2014132131.tif 000025
【図２４】
2014132131.tif 000026
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
着用者の腰部に対応する部位で、上端縁がベルト布に接合され、下端縁が後身頃に接合された伸縮性生地と、
横方向に伸びた折り目のところで折り返されて襞状に形成され、前記伸縮性生地に重なるようにして、上端縁が前記ベルト布に接合され、下端縁が前記後身頃に接合された覆い布と、
を有することを特徴とするズボンであって、
前記伸縮性生地は、水平方向において、着用者の仙骨部とこの仙骨部の水平方向左右両側の部位に、仙骨部の幅の１．５倍〜３倍の幅で設けられていることを特徴とするズボン。